(57)【要約】      （修正有）【課題】装着時に模様全体の大きさが均一となり着用者の脚を細く見せる効果を十分に発揮することができるストッキングを提供する。【解決手段】装着時に横方向の伸張量が縦方向の伸張量に比べて極めて大きい点に着目し、着用者の脚に密着する部分に複数の同種模様が縦方向に略等間隔で一列に配列されており、装着時において着用者の脚の部分が太くなるに従って前記各模様が横方向に伸張する各伸張量を考慮して前記各模様の横幅が漸次小さくなるように設定されている。【選択図】図１
2011026735.tif 000002
【特許請求の範囲】
【請求項１】
着用者の脚に密着する部分に複数の同種模様が縦方向に略等間隔で一列に配列されており、装着時において着用者の脚の部分が太くなるに従って前記各模様が横方向に伸張する各伸張量を考慮して前記各模様の横幅が漸次小さくなるように設定されていることを特徴とするストッキング。
【請求項２】
前記同種模様は、楕円模様、三角模様、星型模様からなることを特徴とする請求項１に記載のストッキング。
【請求項３】
前記同種模様は、左右両脚部の内外の両側面部に配置されていることを特徴とする請求項１又は請求項２に記載のストッキング。
【請求項４】
着用者の脚に密着する部分に網目模様が形成されており、装着時において着用者の脚の部分が太くなるに従って前記網目模様が横方向に伸張する各伸張量を考慮して前記網目模様の横間隔が漸次狭くなるように設定されていることを特徴とするストッキング。
【請求項５】
前記網目模様は、縦方向に略垂直に表われる模様線が連続しないように配置されていることを特徴とする請求項４に記載のストッキング。
【発明の詳細な説明】
【技術分野】
【０００１】
本発明は、着用者の脚を細く見せることができるストッキングに関する。
【背景技術】
【０００２】
従来の身体に密着して着用される衣服、例えばストッキングに付された模様については、ストッキングを脚部に着用したときに生ずる伸張量を考慮して該模様が構成されていないため、衣服着用時には身体の部分が太くなるに従って該模様が太くなり模様全体が均一性を失うことから、足を太く見せてしまうという問題があった。このような問題を解決するため、着用者の身体をスリムに見せることのできる身体に密着して着用される衣服に関し、以下のような発明が提案されている。
【０００３】
特許文献１（特開２００７−１３１９６２号公報）には、着用時に模様の間隔や、太さ、大きさが均一となるよう模様を配置し、着用される身体の部分をスリムに見せることのできる身体に密着して着用される衣服を提供することを目的とし、身体に密着して着用される部分に複数の模様が配置されており、該各模様は、前記身体の部分が太くなるに従って模様同士の間隔が狭くなるように設けられている、又は身体に密着して着用される部分に複数の模様が配置されており、該各模様は、前記身体の部分が太くなるに従って模様の大きさが小さくなるように設けられている、又は身体に密着して着用される部分に複数の模様が配置されており、該各模様は、前記身体の部分が太くなるに従って細くなるように設けられていることを特徴とする「身体に密着して着用される衣服」の発明が開示されている。
【０００４】
また、着用時に脚部を正面及び背面から見ると足が細く見えるパンティストッキングに関し、以下のような発明が提案されている。
【０００５】
特許文献２（特開平９−７８３０７号公報）には、極めて簡単な手段で脚部の側面部に他の部分より色が濃いシャドウ効果を付与することができる低コストかつ大量生産に適した着用時に脚が細く見えるパンティストッキングを提案することを目的とし、パンティストッキングを編成する際、左右両脚部の側面部を他の部分より編目を密に編成してなることを特徴とする「足が細く見えるパンティストッキング」の発明が開示されている。
【先行技術文献】
【特許文献】
【０００６】
【特許文献１】特開２００７−１３１９６２号公報
【特許文献２】特開平９−７８３０７号公報
【発明の概要】
【発明が解決しようとする課題】
【０００７】
しかし、特許文献１（特開２００７−１３１９６２号公報）に記載の発明では、以下に示すような問題を有しており、着用時に模様全体の大きさが均一となるように横方向の伸張量を考慮して各模様を配置していないため、着用される身体の部分をスリムに見せることは困難であると考えられる。
即ち、特許文献１に記載の発明では、模様は身体の部分が太くなるに従って模様の大きさが全体的に小さくなるように設けられていることを特徴するものであるが、装着時に模様が縦方向と横方向に伸張する割合を比較すると大きな差異があり横方向の伸張量が縦方向の伸張量に比べて極めて大きいことに着目していないため、装着時に模様全体の大きさが均一とならないことが明らかである。したがって、この発明では着用者の脚を細く見せることができるという効果を発揮しないといえる。
また、模様は身体の部分が太くなるに従って模様同士の間隔が狭くなるように設けられていることを特徴するものであるが、上述したように縦方向の伸張量は少なく模様同士の間隔の差に与える影響は少ないといえることから、特許文献１に記載の発明では、脚部をスリムに見せる効果はあまり期待できない。
また、特許文献２（特開平９−７８３０７号公報））に記載の発明は、脚部の側面部に他の部分より色が濃いシャドウ効果を付与するものであるため、模様を工夫してデザイン的な観点から脚部をスリムに見せるものではない。
そこで、本発明は、装着時に横方向の伸張量が縦方向の伸張量に比べて極めて大きい点に着目し、装着時に模様全体の大きさが均一となり着用者の脚を細く見せる効果を十分に発揮することができるストッキングを提供することを目的とする。
【課題を解決するための手段】
【０００８】
上記の課題を解決するために、請求項１に記載の発明は、着用者の脚に密着する部分に複数の同種模様が縦方向に略等間隔で一列に配列されており、装着時において着用者の脚の部分が太くなるに従って前記各模様が横方向に伸張する各伸張量を考慮して前記各模様の横幅が漸次小さくなるように設定されていることを特徴とする。
【０００９】
また、請求項２に記載の発明は、請求項１に記載の前記同種模様は、楕円模様、三角模様、星型模様からなることを特徴とする。
【００１０】
また、請求項３に記載の発明は、請求項１又は請求項２に記載の前記同種模様は、左右両脚部の内外の両側面部に配置されていることを特徴とする。
【００１１】
また、請求項４に記載の発明は、着用者の脚に密着する部分に網目模様が形成されており、装着時において着用者の脚の部分が太くなるに従って前記網目模様が横方向に伸張する各伸張量を考慮して前記網目模様の横間隔が漸次狭くなるように設定されていることを特徴とする。
【００１２】
また、請求項５に記載の発明は、請求項４に記載の前記網目模様は、縦方向に略垂直に表われる模様線が連続しないように配置されていることを特徴とする。
【発明の効果】
【００１３】
以上のように、本発明によれば、装着時において着用者の脚の部分が太くなるに従って各模様が横方向に伸張する各伸張量を考慮して各模様の横幅が漸次小さくなるように設定されている又は装着時において着用者の脚の部分が太くなるに従って網目模様が横方向に伸張する各伸張量を考慮して網目模様の横間隔が漸次狭くなるように設定されているため、装着時に模様全体の大きさが均一になり脚をスリムに見せることができる。
【図面の簡単な説明】
【００１４】
【図１】楕円模様付きストッキングの正面図
【図２】楕円模様付きストッキングの背面図
【図３】楕円模様付きストッキングの右側面図
【図４】楕円模様付きストッキングの左側面図
【図５】楕円模様付きストッキングの平面図
【図６】楕円模様付きストッキングの底面図
【図７】楕円模様付きストッキングの装着時の状態を示す参考図
【図８】三角模様付きストッキングの正面図
【図９】三角模様付きストッキングの背面図
【図１０】三角模様付きストッキングの装着時の状態を示す参考図
【図１１】星型模様付きストッキングの正面図
【図１２】星型模様付きストッキングの背面図
【図１３】星型模様付きストッキングの装着時の状態を示す参考図
【図１４】網目模様（Ａ）の説明図
【図１５】網目模様（Ａ）付きストッキングの正面図
【図１６】網目模様（Ａ）付きストッキングの背面図
【図１７】網目模様（Ａ）付きストッキングの装着時の状態を示す参考図（１）
【図１８】網目模様（Ａ）付きストッキングの装着時の状態を示す参考図（２）
【図１９】網目模様（Ｂ）の説明図
【図２０】網目模様（Ｂ）付きストッキングの正面図
【図２１】網目模様（Ｂ）付きストッキングの背面図
【図２２】網目模様（Ｂ）付きストッキングの装着時の状態を示す参考図（１）
【図２３】網目模様（Ｂ）付きストッキングの装着時の状態を示す参考図（２）
【発明を実施するための形態】
【００１５】
以下、本発明の実施の形態について図面を参酌しながら説明する。ここで、図１〜図７は楕円模様付きストッキングについて例示して説明する。図８〜図１０は三角模様付きストッキングについて例示して説明する。図１１〜図１３は星型模様付きストッキングについて例示して説明する。図１４〜図１８は網目模様（Ａ）付きストッキングについて例示して説明する。図１９〜図２３は網目模様（Ｂ）付きストッキングについて例示して説明する。なお、各模様付きストッキングの右側面図、左側面図、平面図、底面図は共通するため、楕円模様付きストッキング以外はこれらの図面を省略する。
【００１６】
（実施例１）楕円模様付きストッキング  本実施例のストッキングには、図１〜図６に示すように左右両脚部の内外の両側面部に複数の楕円模様が縦方向に略等間隔で一列に配列されている。この楕円模様は、装着時において着用者の脚の部分が太くなるに従って各楕円模様が横方向に伸張する各伸張量を考慮して各楕円模様の横幅が漸次小さくなるように設定されている。  なお、楕円模様を配列する位置は、左右両脚部の内外の両側面部に限定されるものではなく着用者の脚に密着する部分であればよい。また、楕円模様の数や大きさなども適宜変更することができる。  上記の楕円模様付きストッキングを着用したとき、図７に示すように楕円模様全体の大きさが均一になり脚をスリムに見せることができる。
【００１７】
（実施例２）三角模様付きストッキング  本実施例のストッキングには、図８〜図９に示すように左右両脚部の内外の両側面部に複数の三角模様が縦方向に略等間隔で一列に配列されている。この三角模様は、装着時において着用者の脚の部分が太くなるに従って各三角模様が横方向に伸張する各伸張量を考慮して各三角模様の横幅が漸次小さくなるように設定されている。  なお、三角模様を配列する位置は、左右両脚部の内外の両側面部に限定されるものではなく着用者の脚に密着する部分であればよい。また、三角模様の数や大きさなども適宜変更することができる。  上記の三角模様付きストッキングを着用したとき、図１０に示すように三角模様全体の大きさが均一になり脚をスリムに見せることができる。
【００１８】
（実施例３）星型模様付きストッキング  本実施例のストッキングには、図１１〜図１２に示すように左右両脚部の内外の両側面部に複数の星型模様が縦方向に略等間隔で一列に配列されている。この星型模様は、装着時において着用者の脚の部分が太くなるに従って各星型模様が横方向に伸張する各伸張量を考慮して各星型模様の横幅が漸次小さくなるように設定されている。  なお、星型模様を配列する位置は、左右両脚部の内外の両側面部に限定されるものではなく着用者の脚に密着する部分であればよい。また、星型模様の数や大きさなども適宜変更することができる。  上記の星型模様付きストッキングを着用したとき、図１３に示すように星型模様全体の大きさが均一になり脚をスリムに見せることができる。
【００１９】
（実施例４）網目模様（Ａ）付きストッキング  本実施例のストッキングには、図１５〜図１６に示すように着用者の脚に密着する部分に網目模様（図１４に示す網目模様（Ａ）の説明図参照）が形成されている、この網目模様は、装着時において着用者の脚の部分が太くなるに従って網目模様が横方向に伸張する各伸張量を考慮して網目模様の横間隔が漸次狭くなるように設定されている。  なお、網目模様を形成する位置は、ストッキングの全体に限定されるものではない。また、網目模様の間隔や大きさなども適宜変更することができる。  上記の網目模様（Ａ）付きストッキングを着用したとき、図１７及び図１８に示すように網目模様全体の大きさが均一になり脚をスリムに見せることができる。
【００２０】
（実施例５）網目模様（Ｂ）付きストッキング  本実施例のストッキングには、図２０〜図２１に示すように着用者の脚に密着する部分に網目模様（図１９に示す網目模様（Ｂ）の説明図参照）が形成されている、この網目模様は、装着時において着用者の脚の部分が太くなるに従って網目模様が横方向に伸張する各伸張量を考慮して網目模様の横間隔が漸次狭くなるように設定されている。また、網目模様（Ｂ）は、実施例４に示す網目模様（Ａ）とは異なり縦方向に略垂直に表われる模様線が連続しないように配置されている。  なお、網目模様を形成する位置は、ストッキングの全体に限定されるものではない。また、網目模様の間隔や大きさなども適宜変更することができる。
上記の網目模様（Ｂ）付きストッキングを着用したとき、図２２及び図２３に示すように網目模様全体の大きさが均一になり脚をスリムに見せることができる。
【図１】
2011026735.tif 000003
【図２】
2011026735.tif 000004
【図３】
2011026735.tif 000005
【図４】
2011026735.tif 000006
【図５】
2011026735.tif 000007
【図６】
2011026735.tif 000008
【図７】
2011026735.tif 000009
【図８】
2011026735.tif 000010
【図９】
2011026735.tif 000011
【図１０】
2011026735.tif 000012
【図１１】
2011026735.tif 000013
【図１２】
2011026735.tif 000014
【図１３】
2011026735.tif 000015
【図１４】
2011026735.tif 000016
【図１５】
2011026735.tif 000017
【図１６】
2011026735.tif 000018
【図１７】
2011026735.tif 000019
【図１８】
2011026735.tif 000020
【図１９】
2011026735.tif 000021
【図２０】
2011026735.tif 000022
【図２１】
2011026735.tif 000023
【図２２】
2011026735.tif 000024
【図２３】
2011026735.tif 000025